(57)【要約】  本発明の周波数リソースでマルチキャリア信号を送信する方法は、  前記周波数リソースが複数のリソースブロックに分割されており、  前記リソースブロックが、サブキャリア間隔により等しく間隔があけられている所定の数のサブキャリアを含み、  前記サブキャリアの数又は前記サブキャリア間隔が、前記リソースブロック又は前記リソースブロックの連続したセットごとに設定可能であり、  前記サブキャリア間隔ｄｎが、設定可能な最小のサブキャリア間隔ｄ０の２ｎ倍であり（ここで、ｎは負ではない整数）、  前記サブキャリア間隔ｄｎのサブキャリア中心周波数及びサブキャリア間隔ｄｎ＋１のサブキャリア中心周波数がｄｎの整数倍だけシフトされている、方法である。
2018527841.tif 000002
【特許請求の範囲】
【請求項１】
周波数リソースでマルチキャリア信号を送信する方法であって、
ａ）前記周波数リソースは複数のリソースブロックに分割されており、
ｂ）前記リソースブロックは、サブキャリア間隔により等しく間隔があけられている所定の数のサブキャリアを含み、
ｃ）前記サブキャリアの数又は前記サブキャリア間隔は、前記リソースブロック又は前記リソースブロックの連続したセットごとに設定可能であり、
ｄ）前記サブキャリア間隔ｄｎは、設定可能な最小のサブキャリア間隔ｄ０の２ｎ倍であり（ここで、ｎは負ではない整数）、
ｅ）前記サブキャリア間隔ｄｎのサブキャリア中心周波数及びサブキャリア間隔ｄｎ＋１のサブキャリア中心周波数はｄｎの整数倍だけシフトされている、方法。
【請求項２】
前記工程ａ）からｅ）は、所定のリソースブロック又はリソースブロックの連続したセットに対して設定可能なすべてのサブキャリア間隔及びそれに対応するサブキャリア中心周波数の位置を決定し、実際の送信動作の際に、前記決定された可能なサブキャリア間隔の１つ及びそれに対応する中心周波数位置の一つが、前記所定のリソースブロック又はリソースブロックの連続したセットで送信に用いられるものとして設定又は選択される、請求項１記載の方法。
【請求項３】
異なるＳＣ間隔及び中心周波数位置が隣接するリソースブロック又は隣接するリソースブロックの連続したセットで選択可能である、請求項１又は２記載の方法。
【請求項４】
前記サブキャリアの数又は前記サブキャリア間隔が設定可能な前記リソースブロックの連続したセットは、前記周波数リソースのサブバンドであり、前記サブバンドは所定のユーザ又は所定のサービスに割当てられ、異なるサブバンドには異なるサブキャリア周波数間隔が割当てられている、請求項１乃至３のいずれか記載の方法。
【請求項５】
前記リソースブロック又はリソースブロックの連続したセットは、前記リソースブロック又はリソースブロックの連続したセットに設定されたサブキャリア間隔の自然数倍の幅を有する請求項１乃至４のいずれか記載の方法。
【請求項６】
参照シンボルが、最小サブキャリア間隔より大きい設定可能なサブキャリア間隔の一以上の中心周波数に配置される請求項１乃至５のいずれか記載の方法。
【請求項７】
参照シンボルが、設定可能な最大のサブキャリア間隔の一以上の中心周波数に配置される請求項１乃至６のいずれか記載の方法。
【請求項８】
前記参照シンボルは、連続的に割当てられた物理リソースブロックの設定可能なサブセットの内部に配置される請求項６又は７記載の方法。
【請求項９】
前記連続的に割当てられた物理リソースブロックの設定可能なサブセットは、前記連続的に割当てられた物理リソースブロックの一方又は両方の端部に位置する請求項８記載の方法。
【請求項１０】
周波数リソースでマルチキャリア信号を送信する装置であって、
ａ）前記周波数リソースは複数のリソースブロックに分割されており、
ｂ）前記リソースブロックは、サブキャリア間隔により等しく間隔があけられている所定の数のサブキャリアを含み、
ｃ）前記装置は、サブキャリアの数又は前記サブキャリア間隔を前記リソースブロック又は前記リソースブロックの連続したセットごとに設定するモジュールを具備し、
前記設定は、
ｄ）前記サブキャリア間隔ｄｎは、設定可能な最小のサブキャリア間隔ｄ０の２ｎ倍であり（ここで、ｎは負ではない整数）、
ｅ）前記サブキャリア間隔ｄｎのサブキャリア中心周波数及びサブキャリア間隔ｄｎ＋１のサブキャリア中心周波数はｄｎの整数倍だけシフトされている、
ようになされる装置。
【請求項１１】
請求項２乃至９のいずれか記載の方法を実行するモジュールをさらに具備する請求項１０記載の装置。
【請求項１２】
周波数リソースで送信されるマルチキャリア信号であって、
ａ）前記周波数リソースは複数のリソースブロックに分割されており、
ｂ）前記リソースブロックは、サブキャリア間隔により等しく間隔があけられている所定の数のサブキャリアを含み、
ｃ）前記サブキャリアの数又は前記サブキャリア間隔は、前記リソースブロック又は前記リソースブロックの連続したセットごとに設定可能であり、
ｄ）前記サブキャリア間隔ｄｎは、設定可能な最小のサブキャリア間隔ｄ０の２ｎ倍であり（ここで、ｎは負ではない整数）、
ｅ）前記サブキャリア間隔ｄｎのサブキャリア中心周波数及びサブキャリア間隔ｄｎ＋１のサブキャリア中心周波数はｄｎの整数倍だけシフトされている、マルチキャリア信号。
【発明の詳細な説明】
【技術分野】
【０００１】
本願発明はマルチキャリア信号を送信のための方法及び装置に関する。
【背景技術】
【０００２】
直交周波数分割多重（ＯＦＤＭ）は、サブキャリア（ＳＣ）間隔（ｓｕｂｃａｒｒｉｅｒ  ｓｐａｃｉｎｇ）及びシンボル長（ｓｙｍｂｏｌ  ｄｕｒａｔｉｏｎ）等のすべてのパラメータがシステム中で不変である場合は、マルチユーザの場面で望ましい特性を示す。将来のシステムにおいては、あるサービスタイプを提供するための各周波数リソースに対してヌメロロジー（ｎｕｍｅｒｏｌｏｇｙ）が最適化され得ることが予想される。それは、一つの固定されたヌメロロジーでは、異なる要件を有する多様なアプリケーションをサポートするには効率的ではないからである。ここでヌメロロジーとは、特にサブキャリア間の間隔を指し、又はシンボル長を指す場合もある。例えば、モビリティが低い場面に比べて、高いモビリティの場面におけるより高いドップラーシフトを打ち消すのには、より広いＳＣ間隔がより適している。
【０００３】
一つのシステムバンド内で異なるヌメロロジーが複数サポートされている場合は、ＯＦＤＭはもはや直交ではなく、高い帯域外輻射（ＯＯＢＥ）が、周波数領域における隣接リソースに重大な干渉を与える。複数のユーザ間のいわゆるガードバンドは干渉を低減し得るが、ＯＦＤＭのスペクトルに起因して、多数のガードバンドが必要となり、スペクトル効率を劇的に低減することになる。
従って、ＯＯＢＥを低減して隣接リソースへの干渉を低減するためにフィルタリングや窓処理のような追加の信号処理を適用した新しい無線波形が、ＯＦＤＭベースの波形の有望な候補として考えられている。
【０００４】
図１に、異なるユーザに対するリソース割当てを周波数領域で実行する送信機におけるＯＦＤＭベースの波形の概略図を示す。
図２に、異なるユーザ又はサービスに割当てられた隣接周波数リソースに異なるヌメロロジーを適用する例を示す。
【０００５】
一つのシステムバンド内で異なるヌメロロジーをサポートすること、つまり異なるユーザに対して割当てられた周波数リソースで異なるＳＣ間隔をサポートすることは、フォワードコンパチビリティを目指すような新しい無線設計においてキーとなる役目を果たす。それは、将来出現するであろう新しい要請を伴う応用を効率よくサポートするために、新しい波形及び／又は新しいヌメロロジーのシームレスな導入を可能にする。
【０００６】
一つのシステムバンド内で異なるヌメロロジーが適用されると、フィルタリング又は窓処理をすれば、ＯＦＤＭと比べて、近隣のサブバンドへの干渉を低減できるが、システムが同期した場合であってもＯＦＤＭベースの波形は直交にはならない。
【０００７】
図３は、ＳＣ間隔がシステムバンド内で固定されており一定である、ＬＴＥ等の従来システムの直交ＳＣの例を示す。
図４は、第１ユーザに割当てられた一つのサブバンド内のＳＣ間隔が、第２ユーザに割当てられた他のサブバンドのＳＣ間隔の２倍になっているシステムの非直交ＳＣの例を示す。この場合、第１サブバンドにおけるより小さいＳＣ間隔のＳＣ（実線で示されている）は、一つ置きで、第２サブバンドのより大きなＳＣ間隔の各ＳＣ（点線で示されている）から干渉を受ける。
【０００８】
異なるヌメロロジーを使うことに起因する干渉は、データ、制御信号、参照信号（ＲＳ）の受信を劣化させる。特に、ＲＳ受信の劣化は、通常、前方誤り訂正符号化（Ｆｏｒｗａｒｄ  ｅｒｒｏｒ  ｃｏｒｒｅｃｔｉｏｎ  ｃｏｄｉｎｇ）が適用されるデータ又は制御信号の劣化より重大な問題である。ＲＳには、通常、前方誤り訂正符号化は適用されない。干渉を受けたＲＳによる信頼性の乏しいチャネル評価は、結局、データ又制御信号の検出のエラー性能（ｅｒｒｏｒ  ｐｅｒｆｏｒｍａｎｃｅ）を著しく劣化させる。
【０００９】
図５は、左右両側のリソースのＳＣ間隔が真中のリソースのＳＣ間隔の２倍になっている場合のＬＴＥ下りリンク（ＤＬ）復調ＲＳ（ＤＭ−ＲＳ）の例を示す。図４に示されている通り、真中のリソースの一つ置きのＳＣは干渉受け、その結果、この例においては、右端のＤＭ−ＲＳシンボルが重大な干渉を受ける。
【００１０】
なお、図４及び５において、説明を簡単にするために、特定のＳＣの配置方法を前提としており、従って、特定の干渉パターンが観測される。ＳＣの配置が異なっていれば、干渉パターンも異なることを理解されるべきである。従って、ここで重要なのは、近隣リソースにおいて、ＳＣ又はＳＣの中心周波数をどのように配置するかが、異なるヌメロロジーが混在する場合又はＳＣ間隔が近隣サブバンドで異なる場合の干渉に関しては重要であるということである。
【００１１】
なお、ここで示した図においては、物理リソースブロック又はサブバンドが一つのみの場合が示されており、また、異なる間隔の複数のＳＣがその一つのリソースブロックに示されている。実際は、異なる間隔のＳＣは異なるＰＲＢに割当てられる。つまり、第１のＳＣ間隔を有する第１のＳＣのセットは第１のＰＲＢに割当てられ、第２のＳＣ間隔を有する第２のＳＣのセットは第２のＰＲＢに割当てられる。一つのＰＲＢ又はサブバンド内に異なるＳＣ間隔がある場合を示すのは、異なる間隔の異なるＳＣが互いにどのように干渉するかを示す例示的な目的のためである。当業者であれば、異なる間隔の複数ＳＣは異なるＰＲＢ又はサブバンド等のＰＲＢグループに割当てられること、及び、このことが異なる間隔の複数のＳＣの間での干渉にどのように影響するかは理解できるであろう。
【００１２】
図６に、従来のＬＴＥシステムにおける１５ｋＨｚのＳＣ間隔を有する１２個のＳＣを含む物理リソースブロック（ＰＲＢ）を示す。
以下に示すように、従来技術においては、他のＳＣ間隔の中心周波数をどのように配置するかについて複数の方法がある。
【００１３】
図７に、図６で示した１５ｋＨｚ間隔と同様に、ＰＲＢにおいて３０ｋＨｚ及び６０ｋＨｚで等間隔のＳＣ間隔で左右対称にＳＣを配置する従来技術を示す。３０ｋＨｚ（上図）及び６０ｋＨｚ（下図）の両方において、中心周波数（垂直の実線で示す）は１５ｋＨｚグリッド（垂直の点線で示す）に一致しない。
【発明の概要】
【発明が解決しようとする課題】
【００１４】
図８に、図７に従って配置されたＳＣ間隔１５ｋＨｚ、３０ｋＨｚ及び６０ｋＨｚの３つの異なるＳＣ間隔のＳＣを示しているが、ＰＲＢの端部のＳＣのみを示す。この図から二つのことが観察できる。
【００１５】
まず第一に、図８において中心ＰＲＢの外側ではゼロ交差の一致がない。これは、中央ＰＲＢ（すなわち、１５ｋＨｚ、３０ｋＨｚ及び６０ｋＨｚ間隔のうちの１つが割り当てられる）のＳＣ間隔割り当てに依存して、隣接するＰＲＢの干渉パターンが異なり、共通して干渉がない場所（直交）が存在しないことを意味する。このことは、最適な位置がスケジュールされた隣接ＰＲＢのＳＣ間隔に依存するので、ＲＳを保護するために干渉のない配置をそのＲＳのために選択しなければならない場合、ＲＳ設計が非常に複雑になる。
【００１６】
第二に、高速フーリエ変換（ＦＦＴ）のサンプリング点は図８における異なるＳＣ間隔にわたって一致しない。１５ｋＨｚ、３０ｋＨｚ及び６０ｋＨｚのＳＣ間隔の中心ＳＣ周波数（垂直線で示す）は一致しない。これらにより、複数のＦＦＴが必要とされるため、送信機と受信機の処理が複雑になる。
【００１７】
送信機と受信機の処理を単純なものにする（すなわち必要なＦＦＴが一つだけにする）ためには、異なるＳＣ間隔で共通のリソースグリッドを共有することが有益である。
【００１８】
図９は、共通のリソースグリッドを共有する例を示している。具体的な例として、３０ｋＨｚ及び６０ｋＨｚのＳＣ間隔の両方でＬＴＥ１５ｋＨｚグリッドが再利用されている。３０ｋＨｚ及び６０ｋＨｚ間隔の中心周波数は、互いに一致していない。
【００１９】
図１０は、図９によるＳＣ間隔１５ｋＨｚ、３０ｋＨｚ及び６０ｋＨｚの３つの異なるＳＣ間隔のＳＣを示しているが、ＰＲＢの端部のＳＣのみを示す。図８と同様に、中心ＰＲＢの外側では異なるＳＣ間隔の間でゼロ交差の一致がないので、ＲＳ設計が非常に複雑になり得る。
本発明は従来技術のこれらの課題を解決しようとするものである。
【課題を解決するための手段】
【００２０】
一実施例における周波数リソースでマルチキャリア信号を送信する方法は、
ａ）前記周波数リソースが複数のリソースブロックに分割されており、
ｂ）前記リソースブロックが、サブキャリア間隔により等しく間隔があけられている所定の数のサブキャリアを含み、
ｃ）前記サブキャリアの数又は前記サブキャリア間隔が、前記リソースブロック又は前記リソースブロックの連続したセットごとに設定可能であり、
ｄ）前記サブキャリア間隔ｄｎが、設定可能な最小のサブキャリア間隔ｄ０の２ｎ倍であり（ここで、ｎは負ではない整数）、
ｅ）前記サブキャリア間隔ｄｎのサブキャリア中心周波数及びサブキャリア間隔ｄｎ＋１のサブキャリア中心周波数がｄｎの整数倍だけシフトされている、方法である。
【００２１】
このようにして、最小周波数間隔ｄ０に基づいて周波数間隔ｄｎに対する「帰納的ルール」が定義され、より小さい間隔ｄｎ−１を参照することによって、間隔ｄｎの中心周波数の位置が規定される。あるｄｎに対して、サブキャリア間隔ｄｎ−１の中心周波数に関する間隔をｄｎ−１の整数倍にすることによって、すべての割当てられた周波数間隔のすべてのサブキャリアのゼロ交差において、異なる周波数間隔を有する隣接リソースブロックからの干渉を無くすことができる。
【００２２】
一実施例において、前記工程ａ）からｅ）は、所定のリソースブロック又はリソースブロックの連続したセットに対して設定可能なすべてのサブキャリア間隔及びそれに対応するサブキャリア中心周波数の位置を決定し、実際の送信動作の際に、前記決定された可能なサブキャリア間隔の１つ及びそれに対応する中心周波数位置の一つが、前記所定のリソースブロック又はリソースブロックの連続したセットで送信に用いられるものとして設定又は選択される。
【００２３】
このようにして、ａ）からｅ）の工程又は条件が、所定のリソースブロック又はリソースブロックの連続したセットにおける、サブキャリア間隔及びそれに対応するサブキャリア中心周波数の位置の可能な選択のすべての可能性を決定できる。このことにより、ａ）からｅ）の条件が複数の可能な構成オプションを決定する。それらのすべてが、異なる周波数間隔であっても、割当てられたすべての可能な周波数間隔及び中心周波数位置のすべてのサブキャリアのゼロ交差において、隣接リソースブロックからの干渉を無くすことができる。しかし実際には、実際の送信動作の際には、所定のリソースブロック又はリソースブロックの連続したセットに対して一つの周波数間隔及び一つの中心周波数位置が選択される。従って送信動作の前に、これらの可能な構成の中の一つがすべての可能な構成オプションから選択される。
【００２４】
一実施例において、異なるＳＣ間隔及び中心周波数位置が隣接するリソースブロック又は隣接するリソースブロックの連続したセットで選択可能である。
このことにより、異なるＳＣ間隔を所定のリソースブロック又はリソースブロックの連続したセットに割当てることができる。隣接するリソースブロックの両方に同じルールが適用される限り、ゼロ交差が一致し、そこが参照信号の配置に使用される。
【００２５】
一実施例において、前記サブキャリアの数又は前記サブキャリア間隔が設定可能な前記リソースブロックの連続したセットは、前記周波数リソースのサブバンドであり、前記サブバンドは所定のユーザ又は所定のサービスに割当てられ、異なるサブバンドには異なるサブキャリア周波数間隔が割当てられている。
このように、異なるサブキャリア間隔が異なるサブバンドに割当てられ、その結果、異なるユーザに割当てられ、サブキャリア間隔が特定のユーザのニーズ及び状況に沿ったものになり得る。
【００２６】
一実施例において、前記リソースブロック又はリソースブロックの連続したセットは、前記リソースブロック又はリソースブロックの連続したセットに設定されたサブキャリア間隔の自然数倍の幅を有する。
このことにより、ＳＣが、割当てられたリソースブロック又はリソースブロックの連続したセットの端部からの距離に関して、そのリソースブロック又はリソースブロックの連続したセットの両端部に対称的に配置され得る。なお、一実施例において、所定のＳＣ間隔が設定されたリソースブロック又はリソースブロックの連続したセットの幅は、ＳＣ間隔に依存してもよい。その結果、異なるＳＣ間隔に対して、異なるリソースブロック又はリソースブロックの連続したセットの幅が選択され得る。
【００２７】
一実施例において、参照シンボルが、最小サブキャリア間隔より大きい設定可能なサブキャリア間隔の一以上の中心周波数に配置される。
このことにより、参照シンボルの位置を完全に自由に選択する場合に比べて干渉を減らすことができ、さらに参照シンボルの密度をある程度高くすることができる。
【００２８】
一実施例において、参照シンボルが、設定可能な最大のサブキャリア間隔の一以上の中心周波数に配置される。
このことにより、参照シンボルに対する異なる周波数間隔の隣接リソースブロックからの帯域外干渉が少なくなる。
【００２９】
一実施例において、前記参照シンボルは、連続的に割当てられた物理リソースブロックの設定可能なサブセットの内部に配置される。
このことにより、参照シンボルの位置に適するリソースブロックの部分のみを選択することが可能になる。
【００３０】
一実施例において、前記連続的に割当てられた物理リソースブロックの設定可能なサブセットは、前記連続的に割当てられた物理リソースブロックの一方又は両方の端部に位置する。
このことにより、端部が参照シンボルの配置に特に適するものになる。
【００３１】
一実施例において、周波数リソースでマルチキャリア信号を送信する装置は、
ａ）前記周波数リソースが複数のリソースブロックに分割されており、
ｂ）前記リソースブロックが、サブキャリア間隔により等しく間隔があけられている所定の数のサブキャリアを含み、
ｃ）前記装置が、サブキャリアの数又は前記サブキャリア間隔を前記リソースブロック又は前記リソースブロックの連続したセットごとに設定するモジュールを具備し、
前記設定が、
ｄ）前記サブキャリア間隔ｄｎが、設定可能な最小のサブキャリア間隔ｄ０の２ｎ倍であり（ここで、ｎは負ではない整数）、
ｅ）前記サブキャリア間隔ｄｎのサブキャリア中心周波数及びサブキャリア間隔ｄｎ＋１のサブキャリア中心周波数がｄｎの整数倍だけシフトされている、
ようになされる装置である。
このことにより、本発明に係る実施例の利点を有する信号送信装置が実施され得る。
【００３２】
一実施例における装置は、本発明に係る実施例の一つに定義される工程を実行するモジュールをさらに具備する。
【００３３】
一実施例において、周波数リソースで送信されるマルチキャリア信号は、
ａ）前記周波数リソースが複数のリソースブロックに分割されており、
ｂ）前記リソースブロックが、サブキャリア間隔により等しく間隔があけられている所定の数のサブキャリアを含み、
ｃ）前記サブキャリアの数又は前記サブキャリア間隔が、前記リソースブロック又は前記リソースブロックの連続したセットごとに設定可能であり、
ｄ）前記サブキャリア間隔ｄｎが、設定可能な最小のサブキャリア間隔ｄ０の２ｎ倍であり（ここで、ｎは負ではない整数）、
ｅ）前記サブキャリア間隔ｄｎのサブキャリア中心周波数及びサブキャリア間隔ｄｎ＋１のサブキャリア中心周波数がｄｎの整数倍だけシフトされている、マルチキャリア信号である。
【００３４】
このような信号は、異なる周波数間隔が用いられる場合の帯域外干渉を低減するという利点を有する。
【図面の簡単な説明】
【００３５】
【図１】送信機におけるＯＦＤＭベースの波形の概略図を示す。
【図２】隣接する周波数リソースに異なるヌメロロジーを適用する例を示す。
【図３】ＳＣ間隔が固定されシステムバンドに渡って均一であるＬＴＥのような従来システムにおける直交ＳＣの例を示す。
【図４】１つのサブバンドのＳＣ間隔が他のサブバンドのＳＣ間隔の２倍であるシステムにおける非直交ＳＣの例を示す。
【図５】左右両側のリソースにおけるＳＣ間隔が中央のリソースのＳＣ間隔の２倍である場合のＬＴＥ  ＤＬ  ＤＭ−ＲＳの例を示す。
【図６】従来のＬＴＥシステムにおいて１５ｋＨｚのＳＣ間隔を有する１２個のＳＣを含むＰＲＢを示す。
【図７】ＰＲＢにおいて３０ｋＨｚ及び６０ｋＨｚのＳＣ間隔のＳＣを等間隔に対称的に配置する方法を示す。
【図８】図７に従って配置された１５ｋＨｚ、３０ｋＨｚ及び６０ｋＨｚの３つの異なるＳＣ間隔を有するＳＣを示す。
【図９】３０ｋＨｚ及び６０ｋＨｚのＳＣ間隔でＬＴＥ１５ｋＨｚグリッドを共有する例を示す。３０ｋＨｚ及び６０ｋＨｚ間隔の中心周波数は、互いに一致していない。
【図１０】、図９による１５ｋＨｚ、３０ｋＨｚ及び６０ｋＨｚの３つの異なるＳＣ間隔を有するＳＣを示す。
【図１１】３０ｋＨｚ及び６０ｋＨｚのＳＣ間隔でＬＴＥ１５ｋＨｚグリッドが再利用されている例であって、３０ｋＨｚ及び６０ｋＨｚのＳＣ間隔の中心周波数がさらに一致している例を示す。
【図１２】図１１による１５ｋＨｚ、３０ｋＨｚ及び６０ｋＨｚの３つの異なるＳＣ間隔を有するＳＣであるが、ＰＲＢ端部のみのものを示す。
【図１３】元のＬＴＥ設計で適合されたＤＭ−ＲＳの位置を、ゼロ交差又は６０ｋＨｚＳＣ間隔のＳＣ中心周波数に一致させるように、少し修正した例を示す。
【図１４】ＳＣ間隔及び中心周波数位置の、図１２の例とは異なる可能な構成のオプションを示す。
【図１５】ＲＳの位置がシフトされ、ＲＳがグリッドの上に示されている例を示す。
【発明を実施するための形態】
【００３６】
まず、本明細書で使用されるいくつかの単語について、以下の略語リストで定義する。
ＣＲＳ：セル固有参照信号（ｃｅｌｌ−ｓｐｅｃｉｆｉｃ  ｒｅｆｅｒｅｎｃｅ  ｓｉｇｎａｌ）
ＣＳＩ−ＲＳ：チャネル状態情報参照信号（ｃｈａｎｎｅｌ  ｓｔａｔｅ  ｉｎｆｏｒｍａｔｉｏｎ  ｒｅｆｅｒｅｎｃｅ  ｓｉｇｎａｌ）
ＤＭ−ＲＳ：変調参照信号（ｄｅｍｏｄｕｌａｔｉｏｎ  ｒｅｆｅｒｅｎｃｅ  ｓｉｇｎａｌ）
ＤＬ：下りリンク
ＦＦＴ：高速フーリエ変換
ＧＣＤ：最大公約数
ＬＣＭ：最小公倍数
ＯＦＤＭ：直交周波数分割多重
ＯＯＢＥ：帯域外輻射（ｏｕｔ  ｏｆ  ｂａｎｄ  ｅｍｉｓｓｉｏｎ）
ＰＲＢ：物理リソースブロック
ＲＥ：リソースエレメント
ＲＳ：参照信号（ｒｅｆｅｒｅｎｃｅ  ｓｉｇｎａｌ）
ＳＣ：サブキャリア
ＳＲ：サウンディング参照信号（ｓｏｕｎｄｉｎｇ  ｒｅｆｅｒｅｎｃｅ  ｓｉｇｎａｌ）
ＵＬ：上りリンク
【００３７】
上述したように、従来技術においては、ＲＳ設計の複雑さ及び受信機における処理の複雑さに関していくつかの課題がある。
一実施例によれば、最小のＳＣ間隔グリッドをより大きなＳＣ間隔に再利用することに加えて、最小のＳＣ間隔より大きなＳＣ間隔のＳＣ中心周波数を揃えることが提案されている。
【００３８】
図１１には、３０ｋＨｚ及び６０ｋＨｚのＳＣ間隔でＬＴＥ１５ｋＨｚグリッドが再利用されている例であって、図１１内の円で示されているように、３０ｋＨｚ及び６０ｋＨｚのＳＣ間隔の中心周波数が一致している例を示す。６０ｋＨｚで間隔があけられているＳＣ（破線で示されている）の中心周波数が、３０ｋＨｚで間隔があけられているＳＣの中心周波数と（一つ置きで）一致している。このことは、第２の間隔（６０ｋＨｚ）の中心周波数が、第１の間隔（３０ｋＨｚ）の中心周波数から第１の間隔（３０ｋＨｚ）に一致する量だけシフトすれば、第１の間隔（３０ｋＨｚ）の２倍である第２の間隔（６０ｋＨｚ）に対して、中心周波数を一致させることができることを示している。
【００３９】
図１２には、図１１による１５ｋＨｚ（実線）、３０ｋＨｚ（点線）及び６０ｋＨｚ（破線）の３つの異なるＳＣ間隔を有するＳＣであって、ＰＲＢ端部のみのものを示す。図１０と違って、図１２では、ＰＲＢの中心部以外でもゼロ交差が揃っている部分がある。これは、ゼロ交差が周期的であり、実際６０ｋＨｚ間隔のＳＣ中心周波数にあるからである。このことは、干渉のない位置のゼロ交差を利用して、ＲＳなどの一部の信号を干渉から保護することができるので、有益である。
【００４０】
一実施例において、上記の状態は、異なるヌメロロジーを使ってもゼロ交差が周期的に一致するような二つのルールを導入することにより、達成できる。
【００４１】
第１のルールは、ＳＣ間隔「ｄｎ」を最小のＳＣ間隔の２ｎ倍に限定する（ここでｎは負ではない整数）。すなわち、ｄｎ＝２ｎｄ０となる。これは、ｄ０が最小のＳＣであり、ｄ１＝２ｄ０、ｄ２＝２ｄ１、・・・、ｄｎ＝２ｄｎ−１等となることを意味する。このことにより、すべてのＳＣ間隔の最小公倍数（ＬＣＭ）が最大のＳＣ間隔となり、すべてのＳＣ間隔の最大公約数（ＧＣＤ）が最小のＳＣ間隔となる。このことにより、ＳＣ中心周波数が（適切に配置されれば）最小ＳＣグリッド上に配置され得る。
【００４２】
第２のルールは、ＳＣ間隔ｄｎ＋１のＳＣ中心周波数をＳＣ間隔ｄｎのＳＣ中心周波数と一致するよう限定する。ｄｎ＋１＝２ｄｎなので、ｄｎ＋１のＳＣ中心周波数はｄｎの一つ置きのＳＣ中心周波数に一致する。これは、ＳＣ間隔ｄｎ＋１のＳＣ中心周波数をＳＣ間隔ｄｎのＳＣ中心周波数からｄｎの整数倍だけシフトすることにより達成される。つまり、ＳＣ間隔ｄｎ＋１のいずれかのＳＣ中心周波数とＳＣ間隔ｄｎのいずれかのＳＣ中心周波数との間の距離がｄｎの整数倍となる。このことにより、ＳＣ間隔ｄｎを有するＳＣ及びＳＣ間隔ｄｎ＋１を有するＳＣのセロ交差が一致することになる。帰納的な方法により、すべてのＳＣ間隔のＳＣのゼロ交差が最大ＳＣ間隔のＳＣに一致することになる。
【００４３】
具体的には、間隔１５ｋＨｚ（ｄ０）、３０ｋＨｚ（ｄ１＝ｄ０＋１＝ｄｎ）及び６０ｋＨｚ（ｄ２＝ｄ１＋１＝ｄｎ＋１）においては、１５ｋＨｚ間隔の中心周波数は１５ｋＨｚグリッドのグリッドエレメント上に配置されるよう選択される。３０ｋＨｚ間隔（ｄ１）のＳＣの中心周波数に対しても、中心周波数が１５ｋＨｚグリッドのグリッドエレメント上に配置されるが、それら中心周波数は、１５ｋＨｚ間隔の中心周波数から１５ｋＨｚ又はその負でない整数倍だけシフトされている。ここで、負でないとは、０、１、２、３、・・・ｎである。６０ｋＨｚの間隔に対してもまた、ＳＣ中心周波数が１５ｋＨｚグリッド上に配置されるが、それらは、３０ｋＨｚ間隔の中心周波数に対して３０ｋＨｚ又は３０ｋＨｚの負でない整数倍だけシフトされている。
【００４４】
このように、ＳＣ間隔及びそれに対応する中心周波数の配置をどのように構成して選択するかについて、複数のオプションがある。一実施例において、上述のルールに従った場合でも、所定のリソースブロック又はリソースブロックの連続したセットに選択されるＳＣ間隔及びそれに対応する中心周波数が１つしかなくなる。隣接するリソースブロック又は（サブバンドのような）リソースブロックのセットに異なるＳＣ間隔が選択され得る。実施例において、ＳＣ間隔及び中心周波数位置をどのように構成するかのオプションを決定するルール又は条件は、同じものが隣接するサブバンド、リソースブロック又はリソースブロックの連続したセットに適用される。この場合、定義された可能な構成オプションの中から、１つのオプションを任意に選択することができ、それでも、第１のリソースブロックと、第２の隣接するリソースブロック又はリソースブロックの連続したセットとの間でゼロ交差を一致させることができる。
【００４５】
図１２には、１５ｋＨｚのＳＣ間隔（ＳＣが実線で表されている）、３０ｋＨｚのＳＣ間隔（ＳＣが点線で表されている）及び６０ｋＨｚのＳＣ間隔（ＳＣが破線で表されている）が示されている。それらの一部のみ、すなわちリソースブロックの端部付近のＳＣのみが示されている。
【００４６】
１５ｋＨｚのＳＣ間隔をｄ０と呼び、３０ｋＨｚのＳＣ間隔をｄ１と呼び、６０ｋＨｚのＳＣ間隔をｄ２と呼ぶことにする。図において、すべての中心周波数は１５ｋＨｚグリッドのグリッドエレメントに上に位置している。さらに、３０ｋＨｚのＳＣ間隔を有するＳＣのうち最も左側にある中心周波数は、１５ｋＨｚのＳＣ間隔を有するＳＣのうち最も左側にある中心周波数から０ｋＨｚシフトしている。これは、１５ｋＨｚ（つまり１５ｋＨｚ間隔ｄ０）の負でない整数倍である。
【００４７】
６０ｋＨｚのＳＣ間隔（ｄ２）を有するＳＣのうち最も左側にある中心周波数については、実施例のルールに従った中心周波数は、３０ｋＨｚのＳＣ間隔を有するＳＣのうちの一つのＳＣの中心周波数からｄ２−１の負でない整数倍だけ（つまり０又は３０ｋＨｚだけ）シフトされているはずである。図１２の左側で、そのようになっているのがわかる。
【００４８】
一実施例において、ＲＳを保護するために、ＲＳの位置をゼロ交差の位置に適合させることをさらに提案する。
なお、図１２において、ゼロ交差の位置はＬＴＥ  ＤＬ  ＤＭ−ＲＳ位置には一致していない。そのことが図１２の上部のリソースグリッドに濃いボックスとして示されている。従って、ＤＭ−ＲＳは強く干渉され得る。
【００４９】
しかし、図１２からわかるように、干渉が起こらないゼロ交差しているところがある（グリット内において円で囲った位置）。従って一実施例においては、ＬＴＥ  ＤＬ  ＤＭ−ＲＳの位置を干渉されないような位置にシフトすることが可能である。
【００５０】
この様子を図１３に示す。図１３に、元々のＬＴＥ  ＤＭ−ＲＳ設計で適合されたＤＭ−ＲＳの位置を、ゼロ交差の位置又は６０ｋＨｚＳＣ間隔のＳＣ中心周波数の位置に一致するように、少しシフトした例を示す。４つ置きのリソースエレメント（ＲＥ）の周期で、ＤＭ−ＲＳが配置され、その結果、複数のＰＲＢに渡って一定のＲＳ密度となっている。
【００５１】
一実施例において、参照シンボルは構成可能な最大のサブキャリア間隔の一以上の中心周波数に配置されている。この方法は、基本的に単純な受信機処理と十分に保護された参照シンボルのすべての利点を得る。しかしながら、最大のＳＣ間隔が単純に大きすぎる場合、ＲＳ密度があまりにも疎となる可能性がある。
【００５２】
一実施例では、参照シンボルは、最小のサブキャリア間隔よりも大きい設定可能なサブキャリア間隔の１つ以上の中心周波数に配置される。この方法は、選択されたＳＣ間隔を有するＳＣ上のＲＳが、より大きなＳＣ間隔を有するＳＣによって干渉され得るので、ＲＳ密度とＲＳ保護との間で妥協することになるが、ＲＳ密度をより高くすることができる。
【００５３】
一実施例において、１つの選択されたＳＣ間隔のＳＣ中心周波数に一致する参照シンボルの位置は、連続的に割り当てられた物理リソースブロックの選択されたサブセット内のみに制限される。このことにより、ＲＳ位置が他の物理リソースブロックに制限されないので、ＲＳ設計がより柔軟なものになる。
【００５４】
一実施例では、１つの選択されたＳＣ間隔のＳＣ中心周波数に一致する参照シンボルの位置は、連続的に割り当てられた物理リソースブロックの一方または両方の端部における物理リソースブロックにのみ限定される。これは、異なるヌメロロジーが適用されたときに、異なるヌメロロジーを使用することに起因する干渉が、隣接するＰＲＢの境界付近で最も重要であるという事実によって動機付けられる。このことにより、ＲＳ位置が他の物理リソースブロックに制限されないので、ＲＳ設計がより柔軟なものになる。
【００５５】
なお、図１２及び図１３は構成可能なＳＣ間隔及び中心周波数の選択の１つの可能性のみを示している。実際に、上述の条件を満たすような構成のオプションは多く存在する。これらのオプションの中の１つ（すなわち１つのＳＣ間隔および１つの中心周波数位置）が、実際の送信のために選択されてもよい。参照信号の位置は、結果的に得られるゼロ交差の位置に応じて選択することができる。
【００５６】
図１４は、図１０の例とは異なる、ＳＣ間隔及び中心周波数の位置の可能な構成のオプションを示す。図１３では、ゼロ交差が図１２とは異なる位置にあり、したがってＲＳ位置も異なるように選択されるべきであることが分かる。これは図１５に示されており、ＲＳの新しいシフトされた位置がグリッドの上に示されている。
【００５７】
本発明は、基本的に任意のサービスをサポートするために適用することができるが、狭帯域幅を必要とするサービスに特に関連する。なぜなら、連続して割当てられた帯域幅の端部における隣接サブバンドからの干渉の影響が、より広い帯域幅に比べてかなり高くなるからである。従って、異なる（できる限り単純な）ＲＳ設計を他のサービスで定義できるように、サービスの一つのサブセットにのみ本発明を適用することが考えられる。
【００５８】
本発明は、ＬＴＥ  ＤＬ  ＤＭ‐ＲＳ設計のみを使用して説明した。当業者には、本発明がいかなる参照信号設計にも適用できることは明らかである。それには例えば、セル固有参照信号、ＣＲＳ、チャネル状態情報参照信号、ＣＳＩ−ＲＳ、ＵＬ  ＤＭ−ＲＳ、サウンディング参照信号、ＳＲなどが含まれる。
【００５９】
当業者であれば、本発明の実施例は、ソフトウェアまたはハードウェアによって、またはその両方の組み合わせによって実施され得ることを容易に認識するであろう。本発明の実施例における装置またはモジュールに関する限り、それらがマイクロプロセッサ（例えば、適切にプログラムされたコンピュータプログラムにより制御されるデジタル信号処理）により実施され得ることを当業者であれば認識するであろう。
【図１】
2018527841.tif 000003
【図２】
2018527841.tif 000004
【図３】
2018527841.tif 000005
【図４】
2018527841.tif 000006
【図５】
2018527841.tif 000007
【図６】
2018527841.tif 000008
【図７】
2018527841.tif 000009
【図８】
2018527841.tif 000010
【図９】
2018527841.tif 000011
【図１０】
2018527841.tif 000012
【図１１】
2018527841.tif 000013
【図１２】
2018527841.tif 000014
【図１３】
2018527841.tif 000015
【図１４】
2018527841.tif 000016
【図１５】
2018527841.tif 000017
【国際調査報告】
2018527841.tif 000018
2018527841.tif 000019
2018527841.tif 000020